(57)【特許請求の範囲】
【請求項１】
段付き面が設けられた段付き軸を有するスタンド基台と、
前記段付き軸が貫通するガイド溝孔を有し、上記スタンド基台上にチルト方向及びパン方向に移動可能に支持され、上部に電子機器が搭載されるスライダーと、
上記スライダーの上から上記段付き軸に挿着されて、ワッシャ付きねじを上記段付き軸にねじ締めすることにより、上記段付き軸の上記段付き面に締め付け固定され、且つ上面に上記ワッシャ付きねじが圧接される環状の突起を有する止め部材と、を備え、
上記環状の突起により上記止め部材と上記ワッシャ付きねじとの間に生じる摩擦力を低く抑え、上記スライダーのパン方向のトルク力を上記止め部材と上記段付き面との締め付け力によって発生させ、チルト方向に対してパン方向のトルク力を高く設定したことを特徴とするスタンド回転機構。
【請求項２】
請求項１記載のスタンド回転機構において、
上記止め部材は、上記スライダーの上記ガイド溝孔に係合し、上記スライダーのパン方向の回転が伝わるカット面を有することを特徴とするスタンド回転機構。
【発明の詳細な説明】
【０００１】
【発明の属する技術分野】
本発明は、電子機器、例えばディスプレイ一体型のパーソナルコンピュータ（以下、ディスプレイ本体という）等のスタンド回転機構に関し、詳しくは、ディスプレイ本体が搭載されるスライダーのチルト方向及びパン方向のトルク力を独立して調整可能にし、チルト方向に対してパン方向のトルク力を高く設定できるようにしたものである。
【０００２】
【従来の技術】
図６にディスプレイ本体をチルト方向及びパン方向へ移動させるための従来のスタンド回転機構を示す。スタンド基台２１の中心には筒軸部２２が突設されている。
【０００３】
また、スタンド基台２１上にはサークル状の受け部２３を有し、この受け部２３に底部が椀型形状を有するスライダー２４が載置されている。スライダー２４は縦長状に開口したガイド溝孔２５（図７の参照）がスタンド基台２１の筒軸部２２に挿着されている。筒軸部２２にはスライダー２４の上から止め部材２６が載せられ、止め部材２６を筒軸部２２の中心のボス２７にワッシャ付きねじ２８を締め付けることによって、スライダー２４がスタンド基台２１の受け部２３と止め部材２６とで挟み付けられた状態で保持される。
【０００４】
上述したスライダー２４にはディスプレイ本体２９が搭載される。すなわち、ディスプレイ本体２９を搭載したスライダー２４はガイド溝孔２５の範囲、筒軸部２２にガイドされて図面の上下方向に移動可能となり、いわゆる、ディスプレイ本体２９をチルト方向へ角度調整でき、また、スライダー２４はガイド溝孔２５が筒軸部２２を中心として左右に９０°の角度、回転可能となり、いわゆるディスプレイ本体２９をパン方向へ角度調整できるようになっている。この回転規制は図７に示すようにスライダー２４が左回転のとき、スライダー２４に底面に設けた突起３０ａがスタンド基台２１の係止壁３１に突き当たって停止し、また、スライダー２４が右回転のとき、スライダー２４の底面に設けた突起３０ｂがスタンド基台２１の係止壁３１に突き当たって停止するようになっている。
【０００５】
【発明が解決しようとする課題】
しかし、上述したスタンド回転機構では、スライダー２４がスタンド基台２１の受け部２３と止め部材２６とが挟み付けられ、いわゆる共締めされる構造であるので、スライダー２４のチルト方向とパン方向とをそれぞれ独立してトルク調整することは不可能である。また、このような構成ではスライダー２４は、チルト方向のトルク力よりパン方向のトルク力が低いことから、例えば、ディスプレイ本体の電源スイッチを押したときにスライダー２４がパン方向に回転するといった問題が発生することもあった。
【０００６】
本発明は、上述したような課題を解消するためになされたもので、スライダーのチルト方向及びパン方向のトルク力を独立して調整可能にし、チルト方向に対してパン方向のトルク力を高く設定できるようにしたスタンド回転機構を得ることを目的とする。
【０００７】
【課題を解決するための手段】
上述の目的を達成するため、本発明によるスタンド回転機構は、段付き面が設けられた段付き軸を有するスタンド基台と、段付き軸が貫通するガイド溝孔を有し、スタンド基台上にチルト方向及びパン方向に移動可能に支持され、上部に電子機器が搭載されるスライダーと、スライダーの上から段付き軸に挿着されて、ワッシャ付きねじを段付き軸にねじ締めすることにより、段付き軸の段付き面に締め付け固定され、且つ上面にワッシャ付きねじが圧接される環状の突起を有する止め部材と、を備え、環状の突起により止め部材とワッシャ付きねじとの間に生じる摩擦力を低く抑え、スライダーのパン方向のトルク力を止め部材と段付き面との締め付け力によって発生するようにしたものである。
【０００８】
これによれば、スライダーのチルト方向の移動は、ガイド溝孔がスタンド基台の段付き軸にガイドされ、比較的低いトルク力で行うことができる。また、スライダーのパン方向の移動は、段付き軸の段付き面と止め部材との締め付け力によって生じる摩擦によるトルク力を受けるようにされ、チルト方向に対してパン方向のトルク力を高くすることができる。また、止め部材の締め付け力の強さによってチルト方向のトルト力を調整することができる。
【０００９】
【発明の実施の形態】
以下、本発明によるスタンド回転機構の実施の形態の例を図面を参照して説明する。
【００１０】
図１はスタンド基台とズライダーの分離状態の斜視図、図２はディスプレイ本体のセット状態の外観図、図３はスタンド回転機構の縦方向の断面図、図４はスタンド回転機構の横方向の断面図である。
【００１１】
スタンド基台１は例えば、ＡＢＳ樹脂あるいはＰＳ樹脂（ポリスチレン）等の射出成形品であって、スタンド基台１にはサークル状のスライダー受け部２が設けられている。スタンド基台１の中心には段付き軸３が突設され、段付き軸３の中心にねじ孔４が形成されている。また、段付き軸３の外周側に半周状のパン回動規制用ストッパー５が形成され、このパン回動規制用ストッパー５の対向側にクリックピン６が形成されている。
【００１２】
スタンド基台１上のスライダー受け部２には底面が椀形のスライダー７が載置される。スライダー７もＡＢＳ樹脂あるいはＰＳ樹脂（ポリスチレン）等の射出成形品であって、スライダー７には椀形の底面７ａに縦長状のガイド溝孔８が開口され、このガイド溝孔８がスタンド基台１の段付き軸３に挿着されている。
【００１３】
段付き軸３にはスライダー７の上から段付き孔９ａを有する例えば、ＰＯＭ（ポリアセタール樹脂）製等の止め部材９が係合状態にされて挿着されると共に、止め部材９の裏面に設けた凸面部１０の左右のカット面１０ａ，１０ａがガイド溝孔８に係合状態にされている。また、凸面部１０にストッパー片１１が突出形成されている。止め部材９の上面には環状の突起９ｂが形成され、この突起９ｂの上からワッシャ付きねじ１２を段付き軸３のねじ孔４にねじ固定されている。
【００１４】
すなわち、止め部材９がワッシャ付きねじ１２によりねじ締めされることにより、止め部材９の段付き面９ｃが段付き軸３の段付き面３ａに面圧接された状態で固定される。これによって、スライダー７はスタンド基台１と止め部材９とによって挟み付けられ保持された状態となるが、止め部材９が段付き軸３の段付き面３ａによって高さが規制されているので、スライダー７に高い挟み付け力が生じることはない。
【００１５】
また、止め部材９はガイド溝孔８の左右部分に形成されている壁面７ｂ，７ｂに係合し、みだりに回転しないように矩形状にされている。
【００１６】
スタンド基台１及びスライダー７は以上のように構成され、スライダー７は異なるトルク力でもってチルト方向及びパン方向の移動ができるようになっている。
【００１７】
すなわち、図５に示すようにスライダー７のチルト方向の移動は、止め部材９の締め付け高さが規制されていることから、スライダー７は止め部材９により強く圧接されることもなく、ガイド溝孔８が止め部材９のカット面１０ａ，１０ａにガイドされて前後方向、つまりガイド溝孔８の範囲、チルト方向へ低いトルク力で移動させることができる。尚、スライダー７のチルト方向のトルク力は、段付き軸３に止め部材９が締め付け固定されたときの高さを調整し、スライダー７に受ける止め部材９の圧接力の強さによって自由に調整することができる。
【００１８】
また、スライダー７のパン方向の移動は、ガイド溝孔８に係合しているカット面１０ａ，１０ａを介して止め部材９に伝わり、止め部材９が段付き軸３と面圧接されていることから摩擦によるトルク力を発生させることができる。従って、スライダー７のパン方向のトルク力はワッシャ付きねじ１２による止め部材９のねじ締めの強さによって調整することができる。
【００１９】
また、止め部材９はその上面に形成した環状の突起９ｂの上からワッシャ付きねじ１２でねじ締め固定していることから、止め部材９とワッシャ付きねじ１２との間に生じる摩擦力を低く抑えることができる。このため、スライダー７のパン方向のトルク力は止め部材９と段付き軸３との圧接力のみで可能にしている。
【００２０】
尚、スライダー７のパン方向の移動範囲は止め部材１０のストッパー片１１がパン回動規制用ストッパー５に突き当たったとき、つまりスライダー７が左右方向に９０°回転状態で停止するようになっている。また、スライダー７が正面向きに位置しているとき、ストッパー片１１がクリックピン６に軽く係合して正面位置が保持されるようになっている。
【００２１】
上述したように本発明によるスタンド回転機構は、スライダー７のチルト方向のトルク力に対してパン方向のトルク力を高く設定したことにより、スライダー７上にディスプレイ本体１３がセットされた状態において、ディスプレイ本体１３の例えば電源スイッチを押したときに、ディスプレイ本体１３と共にスライダー７がパン方向にみだりに回動することもない。
【００２２】
また、本発明によるスタンド回転機構は、スライダー７のパン方向の回動規制のための機構を図５に示すようにスタンド基台１の中心部分に設けることができるのに対して、図７に示した従来の回動規制のための機構は、スタンド基台２１に係止壁３１を設ける必要から受け部２３の外径が大きくなる。従って、本発明ではスライダー７が接触する受け部２の外径を小さくすることができので、スタンド基台１のデザインの自由度が向上できると共に、小型化及び軽量化を図ることができる。
【００２３】
本発明は上述しかつ図面に示した実施の形態の例に限定されるものでなく、その要旨を逸脱しない範囲内で種々の変形実施が可能である。
【００２４】
本例では、止め部材９をその上面に形成した環状の突起９ｂの上からワッシャ付きねじ１２でねじ締め固定している場合について示したが、環状の突起９ｂの無い止め部材９をワッシャ付きねじ１２でねじ締めすることであってもよい。このようにすることで、止め部材９が段付き軸３とワッシャ付きねじ１２とで摩擦を受けることになり、従って、ワッシャ付きねじ１２のねじ締めをそれほど強くしなくてもスライダー７のパン方向トルク力が保持できる。
【００２５】
また、本例ではスライダー７上にディスプレイ一体型のパーソナルコンピュータのディスプレイ本体１３がセットされた場合について説明したが、その他、モニタ画面一体型のパーソナルコンピュータのモニタ本体等の電子機器のスタンド回転機構にも広く適用可能である。
【００２６】
【発明の効果】
以上説明したように本発明によるスタンド回転機構は、スライダーのチルト方向及びパン方向のトルク力を独立に調整可能にし、パン方向のトルク力をチルト方向に対して高く設定するようにしたので、スライダー上にセットした電子機器の電源スイッチを押したときに、電子機器と共にスライダーがパン方向に回動することもなく信頼性の高いスタンド回転機構となる。
【００２７】
また、ワッシャ付きねじを止め部材の上面に形成した環状の突起を介してねじ締めし、段付き軸の段付き面に止め部材を締め付け固定してパン方向のトルク力を発生するようにしたので、スライダーのパン方向の回動をスムーズに行うことができ、また、ワッシャ付きねじのねじ締め力に応じてパン方向のトルク力を自由に調整することができる。
【００２８】
また、スライダーのパン方向の回転をガイド溝孔からカット面を介して段付き軸の段付き面に締め付けられている止め部材に伝え、段付き面との間で摩擦によるトルク力を発生させるようにしたので、スライダーのパン方向の確実なトルク力が得られる。
【図面の簡単な説明】
【図１】本発明によるスタンド回転機構の分離状態の斜視図である。
【図２】ディスプレイ本体が搭載されたスタンド回転機構の外観図である。
【図３】スタンド回転機構の縦断面図である。
【図４】スタンド回転機構の横断面図である。
【図５】スタンド回転機構のチルト及びパン動作の機構部の説明図である。
【図６】従来のスタンド回転機構の断面図である。
【図７】同じくスタンド回転機構のパン動作の回転規制機構の平面図である。
【符号の説明】
１…スタンド基台、２…受け部、３…段付き軸、３ａ…段付き面、５…回動規制用ストッパー、７…スライダー、８…ガイド溝孔、９…止め部材、９ａ…段付き孔、９ｂ…環状の突起、９ｃ…段付き面、１０ａ…カット面、１１…ストッパー片、１２…ワッシャ付きねじ、１３…ディスプレイ本体
【図１】
0004449101.tif 000002
【図２】
0004449101.tif 000003
【図３】
0004449101.tif 000004
【図４】
0004449101.tif 000005
【図５】
0004449101.tif 000006
【図６】
0004449101.tif 000007
【図７】
0004449101.tif 000008